(57)【要約】      （修正有）【課題】原紙を平坦な状態で折曲し得る原紙を屈曲させない方法及び該方法に使用する装置を提供する。【解決手段】原紙１両側部を案内用レール３，８で案内して金型５上に移動させ、原紙を支持する凹金型両側部は、折曲し得るように構成し、原紙を平坦にしてプレスすることにより、食品収容容器１０を形成する。また本発明の製造装置は、両側部に案内用レールを設けた部材４と、金型部分における両側部の原紙を支持する部材が、成型時に屈曲するように構成した。【選択図】図２
2018058261.tif 000002
【特許請求の範囲】
【請求項１】
原紙両側部を案内用レールで案内して金型上に移動させ、原紙を支持する凹金型両側部は、折曲し得るように構成し、プレスすることにより、食品収容容器を形成することを特徴とする食品収容容器の形成方法。
【請求項２】
原紙として、再生紙とバージン紙を貼り合わせたものを使用する請求項１記載の食品収容容器の形成方法。
【請求項３】
前記案内用レールと案内用レールを設けた部材とは、原紙挿入部は広く、先細になるように形成する請求項１又は２記載の食品収容容器の形成方法。
【請求項４】
両側部に案内用レールを設けた部材と、金型部分の両側部の原紙を支持する案内用レールの部材が、成型時に屈曲するように構成したことを特徴とする食品収容容器の製造装置。
【請求項５】
前記案内用レールと案内用レールを設けた部材とは、原紙挿入部は広く、先細になるように形成する請求項４記載の食品収容容器の製造装置。
【請求項６】
前記両側部の原紙を支持する部材は、金型部分の両側部を支持する部材と凹金型とをスプリングで連結する請求項４または５記載の製造装置。
【発明の詳細な説明】
【技術分野】
【０００１】
この発明は、原紙から食品収容容器を形成する際、原紙が屈曲しているので、成型時に原紙ずれが起き製品の不良率が多く発生するのを防止する食品収容容器の形成方法及び該方法に使用する装置に関する。
【背景技術】
【０００２】
食品を収容する容器の原紙は、ロール状に巻いたものから所定の長さを引き出して切断したものを使用していたので、多少の曲りが生ずるから、プレスする際ずれが生じやすく、そのため、製品の不良率の発生が多いと言う問題があった。
【発明の開示】
【発明が解決しようとする課題】
【０００３】
この発明は、このような点に着目してなされたものであり、原紙を平坦な状態で折曲し得る食品収容容器の形成方法及び該方法に使用する装置を提供することを目的とする。
【課題を解決するための手段】
【０００４】
上記目的を達成するため、本発明者は、鋭意研究の結果、屈曲している原紙を平坦になるように案内し、それを金型で成形することを想到し、このようにすることにより、プレスする際ずれが生じず製品の不良率の発生が極端に少なくなることを見出し、本発明に到達した。
【０００５】
即ち本発明は、原紙両側部を案内用レールで案内して凹金型上に移動させ、原紙を支持する両側部は、折曲し得るように構成し、プレスすることにより、食品収容容器を形成することを特徴とする。
【０００６】
原紙として、再生紙とバージンパルプを貼り合わせたものを使用するのが、これが特に曲りが大きいことから効果的である（請求項２）。
前記案内用レールと案内用レールを設けた部材とは、原紙挿入部は広く、先細になるように形成するのが好ましい（請求項３）。
本発明の製造装置は、両側部に案内用レールを設けた部材と、原紙を支持する部材が、成型時に屈曲するように構成したことを特徴とする。
前記案内用レールと案内用レールを設けた部材とは、原紙挿入部は広く、先細になるように形成するのが好ましい（請求項６）。
前記両側部の原紙を支持する部材は、両側部を支持する部材とをスプリングで連結するのが好ましい（請求項７）。
【発明の効果】
【０００７】
本発明によれば、原紙を平らな状態で容器に形成するので、原紙のずれが生じないから不良品の発生が極端に少なくなる。
【図面の簡単な説明】
【０００８】
【図１】従来の金型により食品収容容器を形成する例を示す断面図である。
【図２】本発明の製造装置の一例を示す斜視図である。
【図３】本発明の金型の一例を示す断面図である。
【図４】本発明の方法により製造したトレーの斜視図である。
【図５】本発明の凹金型の４隅の上下動する棒を示す図である。
【図６】本発明の凹金型を示す図である。
【符号の説明】
【０００９】
１・・・・・・原紙
２，２´・・・容器の４隅（原紙）折り曲げの際、対面する一方の側面を先に      お越すための上下動する棒
３,３´・・・案内用レール
４・・・・・・案内用レールを設けた部材
５・・・・・・凹金型
６，６´・・・スプリング
７・・・・・・原紙挿入部
８，８´・・・・・・案内用レール
９・・・・・凸金型
１０・・・・・食品収容容器
【発明を実施するための形態】
【００１０】
次に、本発明の実施の形態を説明する。
【００１１】
図２は、本発明の製造装置を示すものであり、両側部に案内用レール３,３´を固定設置し、更に金型設置部分の案内用レール９は、スプリング６，６´により、上下動し得るように形成されている。
【００１２】
本発明に使用する原紙（厚紙状物）は、バージンパルプであっても。再生紙であっても差支えない。しかしながら、バージンパルプと再生紙とを張り合わせたものであるのが、これはロール状に巻かなくとも曲りが生じるから、特に効果が大きい。原紙は、ポリエチレンなどの熱可塑性樹脂を両面若しくは片面コーテイングしたものを使用するのが好ましい。
【００１３】
従来は、原紙の曲りを小さくするため、巻いたものを反対巻きにしたり、巻き芯を大きくしたりしていたが、本発明によれば、その必要はない。
上記実施例では、原紙を押し込むように形成しているが、他の手段によって原紙を移動させても差支えない。
【００１４】
案内用レール３,３´と案内用レールを設けた部材４とは、原紙挿入部７は広く、先細になるように形成するのが好ましい。
【００１５】
図３に示すように、両側部の原紙を支持する案内用レール８，８´の部分は、凸金型９の下降時に金型側面が案内用レール８，８´にぶつかる為、スプリング６，６´により凸金型９を下降させると下降し、上昇させると元の位置に復帰するように構成されている。
【００１６】
ロール状に巻かれた原紙から所定の長さに切断した原紙１を、部材４の上から原紙挿入部７から挿入して、押し込み、案内レールにより移動させる。この状態で曲りは矯正され。略平らな状態になっている。
【００１７】
次に、凸金型９を下降させると、原紙を支持する部材８，８´、原紙１及びロッド２，２´が一緒に下降し、厚紙１は、２，２´のピストン作動により、原紙左右側面のみが先に内側に折り込まれるため、成形が容易に出来、図４に示すような食品収容容器１２に形成される。ついで、凸金型９を上昇させると、原紙を支持する部材８，８´及びロッド２，２´が上昇する。それから、図４に示すような製品を取り出す。
【産業上の利用可能性】
【００１８】
本発明によれば、原紙を平らな状態で容器に形成するので、原紙のずれが生じないから不良品の発生が極端に少なくなるという効果を奏するので、その利用が期待される。
【図１】
2018058261.tif 000003
【図２】
2018058261.tif 000004
【図３】
2018058261.tif 000005
【図４】
2018058261.tif 000006
【図５】
2018058261.tif 000007
【図６】
2018058261.tif 000008